(57)【要約】  本発明により、スポーツシューズのためのスタッドはロックピンを有しており、該ロックピンにより、スタッドはソールの切欠き内に自動的にばね弾性的にロックされる。その際、スタッドの取り付けは専ら手で行われるのに対し、取り外しは工具を用いてスタッドの回動により行われる。
2005512711.tif 000002
【特許請求の範囲】
【請求項１】
解離可能に結合されるスタッドを収容するためのソールを備えたスポーツシューズであって、スタッドがロック区分を有しており、該ロック区分がソールの切欠きに背後から係合する形式のものにおいて、
ロック区分が、スタッド（３）の縦軸線の方向で突出するロックピン（１０）から成っており、該ロックピン（１０）が、ロックされた状態で、ロックフレーム（５）内に配置されたロックばね（７）により、切欠き（２）内にロックされて保持されることを特徴とする、解離可能に結合されるスタッドを収容するためのソールを備えたスポーツシューズ。
【請求項２】
切欠き（２）が、円形の穴から成っており、該穴が、ロックピン（１０）の横断面と同じ横断面を有している、請求項１記載の、解離可能に結合されるスタッドを収容するためのソールを備えたスポーツシューズ。
【請求項３】
ロックフレーム（５）がばね通路（６）を有しており、該ばね通路（６）内に、ロックばね（７）が配置されている、請求項１または２記載の、解離可能に結合されるスタッドを収容するためのソールを備えたスポーツシューズ。
【請求項４】
ロックばね（７）が、有利には円形の横断面を備えた脚ばね（７′）から成っており、かつロックピン（１０）を収容する切欠き（２）内にまで延びるばね脚片（８，９）を有している、請求項２または３記載の、解離可能に結合されるスタッドを収容するためのソールを備えたスポーツシューズ。
【請求項５】
ばね脚片（８，９）が、切欠き（２）の方向で予負荷されており、かつばね通路（６）の壁（６′，６″）に支持されている、請求項４記載の、解離可能に結合されるスタッドを収容するためのソールを備えたスポーツシューズ。
【請求項６】
ロックピンが導入斜面（１１，１１′）を有しており、該導入斜面（１１，１１′）が、スタッド（３）を切欠き（２）内に押し込む際に、ロックばね（７）のばね脚片（８，９）を押し広げる、請求項１から５までのいずれか１項記載の、解離可能に結合されるスタッドを収容するためのソールを備えたスポーツシューズ。
【請求項７】
導入斜面（１１，１１′）が、直径方向で対向して位置しており、かつスタッド（３）の縦軸線に対して３５゜〜４５゜の角度を有している、請求項６記載の、解離可能に結合されるスタッドを収容するためのソールを備えたスポーツシューズ。
【請求項８】
ロックピン（１０）がロック面（１２，１２′）を有しており、該ロック面（１２，１２′）に、ロックばね（７）のばね脚片（８，９）が、ロックピン（１０）の、ロックされた状態で支持されて、それにより、スタッド（３）の、縦軸線および／または横軸線に沿った運動が阻止される、請求項１から５までのいずれか１項記載の、解離可能に結合されるスタッドを収容するためのソールを備えたスポーツシューズ。
【請求項９】
ロック面（１２，１２′）が、直径方向で対向して位置しており、かつスタッド（３）の縦軸線に対して８５゜〜９５゜の角度、有利には９０゜の角度を有している、請求項８記載の、解離可能に結合されるスタッドを収容するためのソールを備えたスポーツシューズ。
【請求項１０】
ロック面（１２，１２′）が少なくとも、ばね脚片（８，９）の直径の半分の長さを有している、請求項８または９記載の、解離可能に結合されるスタッドを収容するためのソールを備えたスポーツシューズ。
【請求項１１】
ロックピン（１０）が拡開面（１４，１４′）を有しており、該拡開面（１４，１４′）が、スタッド（３）の回動により、ばね脚片（８，９）を、通路の壁（６，６′）とは逆方向に拡開するように押し広げ、それにより、ロックピン（１０）を切欠き（２）から解放する、請求項１から５までのいずれか１項記載の、解離可能に結合されるスタッドを収容するためのソールを備えたスポーツシューズ。
【請求項１２】
スタッド（３）の回動が工具（１３）により行われる、請求項１１記載の、解離可能に結合されるスタッドを収容するためのソールを備えたスポーツシューズ。
【請求項１３】
スタッド（３）が、直径方向で配置された付設部（１５）を有しており、該付設部（１５）が工具（１３）の、相補的に形成された切欠き内に係入する、請求項１２記載の、解離可能に結合されるスタッドを収容するためのソールを備えたスポーツシューズ。
【請求項１４】
スタッドがロック区分を有しており、該ロック区分がソールの切欠きに背後から係合するようになっている、ソールを備えたスポーツシューズに、解離可能なスタッドを迅速に取り付ける方法において、
スタッドの取り付けが以下のように実施される、すなわち、スタッドを専ら手によりソールの切欠き内に、スタッドがロックされる位置に達するまで押し込むと、この位置で、スタッドのロックピンがばね弾性的にロックされて、スタッドの縦軸線および／または横軸線に沿った運動が阻止されるようになり、それに対して、取り外しは工具の助けを借りて実施されるが、スタッドを半周分だけ回すと、スタッドが自動的に拡開面を介してロック解除され、ソールの切欠きから解放されるようになることを特徴とする、ソールを備えたスポーツシューズに、解離可能なスタッドを迅速に取り付ける方法。
【発明の詳細な説明】
【技術分野】
【０００１】
本発明は、請求項１の上位概念部に記載された形式の、スタッドを備えたスポーツシューズに関する。
【０００２】
そのようなスポーツシューズは例えば欧州特許出願公開第０８１５７５９号明細書から公知である。スポーツシューズはソールと、該ソールに解離可能に固定されるスタッドとを有しており、スタッドは形状結合ならびに固定手段を介してソールに保持されている。この形状結合は例えば、スタッドに配置された多角形のベースと、ソールに相補的に形成された切欠きとから成っており、それに対して、固定手段はスタッドに設けられたねじならびにソールに設けられたねじ山付開口により形成される。形状結合ならびに固定手段はソール踏面に対して垂直に配置されている。この構成の取扱いは比較的面倒である。それというのは、スタッドの交換時、最初にねじとねじ山付開口との間の結合を形成し、その後で六角形部を、相補的に形成された切欠きに合わせて、所望の位置へともたらさなければならないからである。要するに使用者は、片方の手でスタッドを定位置に保ちつつ、もう片方の手でねじを締めなければならないことを強要されている。
【０００３】
スポーツシューズのソールに円形のスタッドを固定する別の手段がアメリカ合衆国特許第４６９８９２３号明細書に記載される。工具の助けを借りて、スタッドはソールの切欠き内に押し込まれ、その後、スタッドから突出したロック付設部が切欠きのアンダカットに背後から係合、つまり掛止するまで回される。この構成の欠点は、スタッドの装着時に、２つのプロセス、要するに、まずスタッドを切欠き内に導入し、その後で正確なロック位置に回動させることが実施されなければならない点にある。実際の使用中にしばしば発生する、スタッドを短時間で交換しなければならない場合に、このような装置は支障となる。
【０００４】
ドイツ連邦共和国特許出願公開第１９８５０４４９号明細書により公知になっている、別の構成では、有利には縦長のスタッドが最初にソールの切欠き内に導入され、その後で、ねじ締結およびロックフックを介して、切欠きに背後から係合する位置にロックされる。この事例でも、取扱いは前に挙げた背景技術と同様に決して簡単ではない。
【０００５】
スポーツシューズのソールへのスタッドの導入は、ドイツ連邦共和国実用新案第２９８０７０８２号明細書による構成によれば、スタッドが切欠き内に押し込まれるだけでよい点で、確かに簡単化されてはいる。しかしながら、スタッドの固定は、スタッドをその定位置にロックするために、スタッドの開口内に位置決めされなければならない拡開コアにより行われる。スタッドの除去はやはり極めて面倒である。それというのは、最初に拡開コアがそのロック位置から外されなければならず、その後で、スタッドを切欠きから除去することができるからである。特にソールが汚れている場合には、このことは極めて困難に、かつ時間を浪費した上でのみ可能である。
【０００６】
そこで本発明の課題は、スタッドの取り付けだけではなく、ソールからのスタッドの取り外しをも、汚れた状況においても極めて簡単かつとりわけ迅速に行うことができ、しかも少ない部品の使用、コンパクトさおよび丈夫さの点で優れた、スタッドを備えたスポーツシューズを提供することである。
【０００７】
本発明により、上記課題は請求項１の特徴部に記載された特徴により解決される。
【０００８】
本発明の有利な構成は従属請求項に記載されている。
【０００９】
本発明は、スタッドをソールに設けられた切欠きの開口方向での押圧力でもって簡単に手でそのロックされる位置へともたらすことができるという普遍的な考えに基づいている。さらに、ロック部分に個々の傾斜面を形成することにより、スタッドの押し込み時に、正確な位置について気を配る必要がなくなる。それというのは、ロック部分が、正確な位置を、傾斜面を介して自ら見出すからである。やはり、ソールからのスタッドの解離は、一般に円形のスタッドのために使用される、適当な工具の助けを借りて行われる。その際、スタッドは最大で半周分だけ回動させられ、その後、自動的に、ロックされた位置から解離し、取り外されることができる。
【００１０】
本発明の課題は、請求項１〜請求項１３とは独立的に、請求項１４に記載された特徴に基づく方法により解決される。
【００１１】
以下に図面を参照しながら本発明の実施例について詳説する。
【００１２】
詳細には説明されないスポーツシューズ、例えばフィールドスポーツのためのスポーツシューズのソール１の、図１に示した部分はその下面の複数の箇所に、クリートとも呼ばれるスタッド３を収容するための切欠き２を有している。図示の例において、右側には、そのようなスタッド３が取り付けられているが、左側には、スタッドがまだ取り付けられていない段階である。
【００１３】
特に図２および図３から極めて良好に見て取ることができるように、この切欠き２は有利には円形の穴４として形成されており、かつ別個の部分としてソール１内に射出成形または接着により埋め込まれているロックフレーム５内に設けられている。もちろん、ソール１とロックフレーム２との間の別の結合手段も可能であるし、またはロックフレームがソールの、インテグラルな構成部分であってもよい。
【００１４】
ロックフレーム５において、ばね通路６内にロックばね７が配置されている。この事例では、ばね通路がＵ字形に形成されており、かつ円形の横断面を有するＵ字形の脚ばね７′を収容する。脚ばね７′は円形の切欠き２内にまで延びている。脚ばね７′の両ばね脚片８，９は切欠き２の方向に予負荷されており、かつばね通路６の壁６′，６″に支持されている。
【００１５】
図４〜図７から見て取ることができるように、スタッド３はその縦軸線の方向で突出する中央のロックピン１０を有している。このロックピン１０は有利には、スタッド３のコアを形成する金属から成っている。もちろん、別の材料も可能であるし、もしくはスタッドがロックピンと同じ材料から成ることもできる。
【００１６】
ロックピン１０は、切欠き２もしくは円形の穴４の横断面に相当する横断面を有しているので、切欠き２内に適合する。そこで、本発明にとって重要であることは、ロックピン１０が、以下で詳細に説明される面を有していることである。
【００１７】
スタッドを簡単に手で切欠き２内に矢印方向Ａ（図５参照）で押し込めるようにするために、ロックピン１０は直径方向で対向して位置する導入斜面１１，１１′を有しており、導入斜面１１，１１′は有利には縦軸線に対して３５゜〜４５゜の角度を有している。これらの導入斜面１１，１１′により、スタッドを押し込むと、ロックばね７のばね脚片８，９は、ロックピン１０が図６に示したそのロックされる終端位置に達するまで押し広げられる。
【００１８】
ロックされた位置はロックピン１０に設けられた、やはり直径方向で対向して位置するロック面１２，１２′により保証され、ロック面１２，１２′に、ロックばね７のばね脚片８，９は支持されて、スタッド３がその縦軸線および／または横軸線に沿って運動する可能性を阻止する。それゆえ、スタッド３の支持面３′とロック面１２，１２′との間の、図６に示した間隔ａを、ロックされた状態で支持面３′とソール１との間に遊びが存在しないように、ひいてはスタッド３が密にソール１に載着するように寸法設定しなければならないことは当業者には明白である。さらに、ロック面１２，１２′がばね脚片８，９の直径の少なくとも半分の長さを有しており、かつスタッド３の縦軸線に対して８５゜〜９５゜の角度、有利には９０゜の角度を有していることが重要である。
【００１９】
スタッド３を再度、そのロックされた位置から脱して、ソール１から取り外すためには、スタッド３が、図７に概略的に示した工具１３の助けを借りて半周分だけ回される。この事例では、ロックピン１０に設けられた、対向して位置する拡開面１４，１４′により、ロックばね７のばね脚片８，９が拡開するように押し広げられるので、ばね脚片８，９は通路壁６′，６″とは逆向きに運動し、ロックピン１０を解放する。その際、スタッド３がどの方向に回されるかは重要ではない。その後、スタッド３は邪魔されることなく切欠き２もしくはロックフレーム５から除去されることができる。
【００２０】
工具１３がスタッド３を形状結合式（ｆｏｒｍｓｃｈｌｕｅｓｓｉｇ：形状による束縛）に把持できるように、スタッドは複数の、周囲に配置された付設部１５を有しており、付設部１５は工具内に相補的に形成された、詳細には説明されない切欠き内に係入する。
【００２１】
本発明は図示して説明した構成に限定されるものではなく、当業者に推考可能な改変が包括されていることを追記しておく。
【００２２】
スタッドの位置決めおよび回動防止を改善するために、ソール１の表面と、スタッド３の、ソール側の面とに、詳細には説明されない、いわゆる「星形係止装置（Ｒａｓｔｓｔｅｒｎ）」が配置されていることができる。
【図面の簡単な説明】
【００２３】
【図１】組み付けられたスタッド（右）と、スタッドを備えていない切欠き（左）とを備えた、スポーツシューズのソールを部分的に示す図である。
【００２４】
【図２】図１に示した線ＩＩ−ＩＩに沿った側面図である。
【００２５】
【図３】図２に示した線ＩＩＩ−ＩＩＩに沿った、ロックフレームを示す図である。
【００２６】
【図４】スタッドおよびロックフレームをソールなしで示す図である（拡大された寸法）。
【００２７】
【図５】図４のスタッドの側面図と、図４に示した線Ｖ−Ｖに沿った、ロックフレームの断面図である。
【００２８】
【図６】ロックされた位置にある、図５に示したスタッドを示す図である（ソールは図示せず）。
【００２９】
【図７】図６に示したスタッドの、ロックフレームからロック解除される直前の状態を示す図である。
【図１】
2005512711.tif 000003
【図２】
2005512711.tif 000004
【図３】
2005512711.tif 000005
【図４】
2005512711.tif 000006
【図５】
2005512711.tif 000007
【図６】
2005512711.tif 000008
【図７】
2005512711.tif 000009
【国際調査報告】
2005512711.tif 000010
2005512711.tif 000011
2005512711.tif 000012
2005512711.tif 000013